(57)【要約】【課題】保管時や輸送時など、使用前の状態において口栓が露出せず、衛生的な状態が保てるガセットパウチを提供する。【解決手段】ガセットパウチ１であって、表面シート１１と裏面シート１２が、左右の側面シート１３ａ、１３ｂの上端縁を結ぶ線分の部位で口栓１５の基部１６を挟んで一体にシールされて上部シール部２３を形成し、表面シートと裏面シートは左右の側面シートのＶ字の頂点１３ｃよりも左右方向中央側の部位が上部シール部から口栓の全体を覆う部位まで上方に延在してその端縁がシールされて口栓を封入し、表面シートと裏面シートの下端縁のシール部２７の上方に、開閉自在のチャック１７が設けられ、下端縁のシール部内または下端縁のシール部とチャックの間に表面シートと裏面シートを貫通した吊るし孔１８が設けられている。【選択図】図１
2020138797.tif 000002
【特許請求の範囲】
【請求項１】
表面シートと裏面シートを対向させ、その左右の側部に中央側に凸にＶ字状に折り畳まれた左右の側面シートをそれぞれ挟み、対向する端縁同士を貼り合せ、上部に内容物を注出する口栓を設けたガセットパウチであって、
前記表面シートと前記裏面シートが、前記左右の側面シートの上端縁を結ぶ線分の部位で前記口栓の基部を挟んで一体にシールされて上部シール部を形成し、
前記表面シートと前記裏面シートは、前記左右の側面シートのＶ字の頂点よりも左右方向中央側の部位が前記上部シール部からさらに前記口栓の全体を覆う部位まで上方に延在してその端縁がシールされて前記口栓を封入し、
前記表面シートと前記裏面シートの下端縁のシール部の上方に、開閉自在のチャックが設けられ、前記下端縁のシール部内または前記下端縁のシール部と前記チャックの間に前記表面シートと前記裏面シートを貫通した吊るし孔が設けられたことを特徴とするガゼットパウチ。
【請求項２】
前記吊るし孔と前記口栓が、前記ガセットパウチの左右方向の中心軸に対して互いに反対側に設けられていることを特徴とする請求項１に記載のガセットパウチ。
【請求項３】
前記表面シートと前記裏面シートの、前記上部シール部から前記口栓の全体を覆う部位まで上方に延在した部位に、端縁のノッチ、または弱め線、またはその両方が設けられていることを特徴とする請求項１または２に記載のガセットパウチ。
【請求項４】
下端縁のシール部と前記チャックの間に、端縁のノッチ、または弱め線、またはその両方が設けられていることを特徴とする請求項１から３のいずれかに記載のガセットパウチ。
【発明の詳細な説明】
【技術分野】
【０００１】
本発明は、ガセットパウチに関するものであり、さらに詳しくは、口栓付きのガセットパウチであり、輸送中、保管中など、実際に使用する前には口栓が露出しないガセットパウチに関する。
【背景技術】
【０００２】
従来、ボイル食品、レトルト食品、ゼリー飲料や、ペットフード、液体調味料、輸液、経腸栄養剤などにおいて、スタンディングパウチやガセットパウチなどの様々な形態のガスバリア性パウチ（包装袋）が使用されている。中でもマチを有することで外形に比して内容積を大きくできるガセットパウチは有用性が高い。またこれらのパウチには、再封用のチャックや飲み口用の口栓を装着することが広く行われている（例えば特許文献１）。
【０００３】
しかし多くの形態では口栓がパウチ外部に露出した状態で、輸送中、保管中あるいは店頭展示中などに口栓の部位に埃等が付着したり、あるいは取扱い中に口栓に人の手が触れたりし易く、衛生面での問題とされていた。特に、内容物が食品類や医薬品類の場合は、口栓から直接、または連結したチューブなどを通じて内容物を体内に取り入れることもあり、大きな問題であった。
【０００４】
露出した口栓を覆うためには、別途シュリンクフィルムなどを被せて密封することなども行われているが、別工程が必要になり手間もコストもかかるという問題があった。また特許文献２では、スタンディングパウチの形態の包装袋において、表裏をなす積層体をヒートシールして包装袋を２室に区分し、そのヒートシール部に注出具をヒートシールすることにより、注出具をスタンディングパウチ内部に収納する様にした包装袋が開示されている。
【０００５】
しかしながら、特許文献２に開示されている様な形態はガセットパウチには適用できず、口栓部分の衛生状態を保つことができるガセットパウチが望まれていた。
【先行技術文献】
【特許文献】
【０００６】
【特許文献１】特開２０１６−２２２３３１号公報
【特許文献２】特開平１０−３０５８５０号公報
【発明の概要】
【発明が解決しようとする課題】
【０００７】
本発明は以上の様な従来技術に鑑みなされたもので、口栓付きのガセットパウチにおいて、保管時や輸送時など、使用前の状態において口栓が露出せず、衛生的な状態が保てるガセットパウチを提供することを課題とする。
【課題を解決するための手段】
【０００８】
上記課題を解決するため、本発明の請求項１に係る発明は、
表面シートと裏面シートを対向させ、その左右の側部に中央側に凸にＶ字状に折り畳まれた左右の側面シートをそれぞれ挟み、対向する端縁同士を貼り合せ、上部に内容物を注出する口栓を設けたガセットパウチであって、
前記表面シートと前記裏面シートが、前記左右の側面シートの上端縁を結ぶ線分の部位で前記口栓の基部を挟んで一体にシールされて上部シール部を形成し、
前記表面シートと前記裏面シートは、前記左右の側面シートのＶ字の頂点よりも左右方向
中央側の部位が前記上部シール部からさらに前記口栓の全体を覆う部位まで上方に延在してその端縁がシールされて前記口栓を封入し、
前記表面シートと前記裏面シートの下端縁のシール部の上方に、開閉自在のチャックが設けられ、前記下端縁のシール部内または前記下端縁のシール部と前記チャックの間に前記表面シートと前記裏面シートを貫通した吊るし孔が設けられたことを特徴とするガセットパウチである。
【０００９】
また、本発明の請求項２に係る発明は、
前記吊るし孔と前記口栓が、前記ガセットパウチの左右方向の中心軸に対して互いに反対側に設けられていることを特徴とする請求項１に記載のガセットパウチである。
【００１０】
また、本発明の請求項３に係る発明は、
前記表面シートと前記裏面シートの、前記上部シール部から前記口栓の全体を覆う部位まで上方に延在した部位に、端縁のノッチ、または弱め線、またはその両方が設けられていることを特徴とする請求項１または２に記載のガセットパウチである。
【００１１】
また、本発明の請求項４に係る発明は、
下端縁のシール部と前記チャックの間に、端縁のノッチ、または弱め線、またはその両方が設けられていることを特徴とする請求項１から３のいずれかに記載のガセットパウチである。
【発明の効果】
【００１２】
本発明の請求項１に記載の発明によれば、側面シートを表裏のシートの間に挟みこんでマチを設けたガセットパウチにおいて、上部シール部に設けた口栓を、上部シール部からさらに上方に表裏のシートを延在させて口栓を覆って端縁をシールすることで口栓がパウチ外部に露出しない態様となり、輸送中、保管中など未使用の状態においては口栓を衛生的な状態に保つことができる。一方、使用する際には延在した部分を適宜切り取ることで口栓を露出させることができ、口栓から内容物を注出することが容易に行える。またその際、上部シール部がシールされているため内容物が漏れ出てしまうことがない。
【００１３】
また下端縁シール部の上方に開閉自在のチャックを設けることで、使用時に内容物が少なくなって口栓から流出し難くなったとき、パウチの下端縁近傍を切り裂いて開封し、チャックを開けて下端縁側を開封して水などを注入でき、チャックを閉じて再使用することで、水などと一緒に残った内容物を流出させることができ、内容物が無駄にならない。また下端縁側に吊るし孔があることで、フックに掛けて吊るすことができ、栄養食などの提供時の利便性が高い。
【００１４】
また請求項２に記載の発明によれば、吊るし孔にフックなどを掛けてパウチを吊るしたとき、口栓がより下方側となり、内容物の流出がよりスムーズになり好ましい。
【００１５】
また請求項３に記載の発明によれば、上部シール部からさらに上部に延在した部分を容易に、またズレなく切り取ることができ、容易に口栓を露出させることができる。
【００１６】
また請求項４に記載の発明によれば、パウチの下端縁近傍を容易に、またズレなく切り裂いてパウチを開口させることができ、チャックの開閉が容易に行える。
【図面の簡単な説明】
【００１７】
【図１】本発明のガセットパウチの一形態の平面模式図である。
【図２】本発明のガセットパウチの一形態の外観斜視図である。
【図３】本発明のガセットパウチの一形態から内容物を流出させる状態の説明図である。
【図４】本発明のガセットパウチの一形態のチャックを開けて水を注入する状態の説明図である。
【図５】本発明のガセットパウチの別形態の平面模式図である。
【図６】本発明のガセットパウチの別形態の外観斜視図である。
【図７】本発明のガセットパウチの第三の形態の平面模式図である。
【図８】本発明のガセットパウチの第三の形態から内容物を流出させる状態の説明図である。
【発明を実施するための形態】
【００１８】
以下、本発明の実施形態を、図面を参照しながら詳細に説明する。なお本発明は以下に説明する実施形態に限定されるものではない。
【００１９】
図１は、本発明のガセットパウチの一形態の平面模式図である。ガセットパウチ１は、表面シート１１と裏面シート１２を貼り合せて袋状としたもので、左右の両側部には中央側に凸となる様にＶ字状に折畳まれた側面シート１３ａ、１３ｂが挟みこまれて側縁シール部２１で表面シート１１および裏面シート１２と貼り合せられている。両側面シートはガセットパウチ１のマチを形成し、展開することでガセットパウチ１に厚みを持たせ、平パウチ等に比して内容積を大きくできるものである。
【００２０】
表面シート１１と裏面シート１２の上部は、側面シート１３ａ、１３ｂの上端縁を結んだ線分の部分で貼り合せられ、上部シール部２３を形成している。上部シール部２３には口栓１５の基部１６が挟みこまれて一体にシールされている。表面シート１１と裏面シート１２はまた、側面シート１３ａ、１３ｂのＶ字の先端部１３ｃよりも中央よりの部分が上部シール部２３からさらに上方に、口栓１５を覆う位置まで延在しており、周縁がシールされて天縁シール部２２を形成し、口栓１５を口栓封入部１４に封入している。これにより口栓１５はガセットパウチ１の外部に露出しない態様とされる。また表面シート１１と裏面シート１２が上方に延在している部分が、側面シート１３ａ、１３ｂのＶ字の先端部１３ｃよりも中央よりの部分となっているため、ガセットを展開し易くなっている。口栓１５には適宜開閉自在なネジ蓋、ヒンジ蓋などの蓋（図示せず）を設けることができる。
【００２１】
内容物を収納したガセットパウチ１を使用する際には、口栓封入部１４の表面シート１１と裏面シート１２を切り取って口栓１５を露出させ、口栓を開封して内容物を注出することができる。口栓封入部１４の表面シート１１と裏面シート１２を切り取り易くするために、ノッチ２４ａおよび易開封線２５ａを一つまたは複数設けることができる。ノッチ２４ａは切り欠きや切込みの形状で公知のいずれの方法によっても設けることができる。易開封線２５ａは公知の傷加工、レーザー加工などの手法から適宜選択して設けることができる。
【００２２】
一方、下部では表面シート１１と裏面シート１２は、側面シート１３ａ、１３ｂのＶ字の先端部１３ｃよりも中央よりの部分が側面シート１３ａ、１３ｂの下端からさらに下方に延在しており、周縁がシールされて下端縁シール部２７を形成している。下方に延在している部分には開閉自在のチャック１７が表面シート１１と裏面シート１２の内面側に設けられ、さらにその下方に表面シート１１と裏面シート１２を貫通する吊るし孔１８が設けられている。吊るし孔１８は、その周囲にシール部２６を別途設けても良く、あるいは下端縁シール部２７を吊るし孔１８を取り囲むように膨出させて下端縁シール部２７内に形成されるようにしても良い。
【００２３】
下端縁シール部２７と吊るし孔１８の間に、前述の口栓封入部１４と同様に表面シート１１と裏面シート１２を切り裂くのを容易にするためのノッチ２４ｂと易開封線２５ｂを
設けることができる。これにより、ガセットパウチ１の下端縁シール部２７の側を開封することができ、さらにチャック１７を開けることにより、内容物や水等を追加して注入することができる。
【００２４】
図２は本発明のガセットパウチの外観斜視図である。パウチの中央側に凸のＶ字状に折畳まれた左右の側面シート１３ａ、１３ｂを左右両側に押し出すように展開してマチを形成することで、ガセットパウチ１の表裏方向に厚みを生じさせた態様であり、内容物を収納するための大きな内容積が得られる。ガセットパウチ１は内容物を収納した状態では、下端縁シール部２７が形成されている下方に延在する部分が自重により容易に折畳まれ、ほぼ平坦な底面状となり自立できる態様ともなる。
【００２５】
図３は本発明のガセットパウチの一形態から内容物を流出させる状態の説明図である。ここではガセットパウチ１を吊るし孔１８でフック３０に掛け、口栓１５が下方となる様に吊り下げた状態である。口栓封入部１４の部分の表面シート１１と裏面シート１２は切り取られ、口栓１５が露出していると共に口栓１５にチューブ３１を装着して内容物３２を流出させている。チューブ３１を装着せずに、口栓１５から直接流出する様にしても良いことは言うまでもない。このとき内容物の量が白矢印で示した様に少なくなってくると、内容物の流動性によっては口栓１５およびチューブ３１から内容物３２が流出し難くなってくることがある。
【００２６】
その場合は、図４に示す様に易開封線２５ｂで下端縁シール部２７の近傍を切り裂いて開封し、チャック１７を開けて水３３を注入して流動性を増し、かつ嵩だかとすることで、残った内容物をスムーズに流出させることが出来る。
【００２７】
ガセットパウチ１の表面シート１１、裏面シート１２、左右の側面シート１３ａ、１３ｂは、少なくとも基材フィルムとシーラント層を有する積層フィルムで構成することができる。シーラント層がパウチの内面側となるようにしてシーラント層同士を貼り合せることでパウチを構成できる。
【００２８】
基材フィルムを構成するプラスチック類として、例えばポリエチレンテレフタレート（ＰＥＴ）、ポリエチレンナフタレート（ＰＥＮ）等のポリエステル樹脂、ポリエチレン、ポリプロピレン等のポリオレフィン樹脂、ポリスチレン樹脂、６６−ナイロン（ＮＹ）等のポリアミド樹脂、ポリカーボネート、ポリアクリロニトリル、ポリイミド等のエンジニアリングプラスチック等が挙げられる。これらの樹脂材料のいずれか１種を単独で、または２種以上をブレンドしてフィルム状に加工したものを基材フィルムとして使用できる。なかでも価格面、防湿性、充填適性、風合い及び廃棄性を考慮すると、ポリアミドフィルム、ポリエステルフィルムがより好ましい。また上記のフィルムを２種以上積層した積層フィルムとすることもできる。
【００２９】
プラスチック類のフィルムは、延伸、未延伸のどちらでもよく、機械強度や寸法安定性を有するものが好ましい。特に、二軸方向に任意に延伸されたフィルムが好ましく用いられる。また基材フィルムの厚さは、特に限定するものではないが、パウチとしての適性および加工性を考慮すると、実用的には３〜２００μｍが好ましく、６〜３０μｍがより好ましい。
【００３０】
シーラント層には、例えば、低密度ポリエチレン樹脂（ＬＤＰＥ）、中密度ポリエチレン樹脂（ＭＤＰＥ）、直鎖状低密度ポリエチレン樹脂（ＬＬＤＰＥ）、無延伸ポリプロピレン樹脂（ＣＰＰ）、エチレン−プロピレン共重合体、エチレン−αオレフィン共重合体、エチレン−アクリル酸共重合体、エチレン−メタクリル酸共重合体、エチレン−アクリル酸メチル共重合体、エチレン−アクリル酸エチル共重合体、エチレン−メタクリル酸メチル共重合体、アイオノマー樹脂、エチレン−酢酸ビニル共重合体などの樹脂、またはこれらの樹脂を成膜化したフィルムを使用することができる。シーラント層の厚さは特に限定されないが、密封性、生産性、コスト等の観点より通常３０μｍ〜１５０μｍ程度、好ましくは６０μｍ〜８０μｍ程度とすると好ましい。
【００３１】
表面シート１１、裏面シート１２、左右の側面シート１３ａ、１３ｂは、基材フィルムとシーラント層以外の層を設けることもできる。例えば印刷層、接着剤層、ガスバリア層などが例示できるが、これらに限定されない。
【００３２】
ガスバリア層を設ける場合は、上記の各層の表面もしくは中間に、無機材料を蒸着法により蒸着させた蒸着膜を設けると好ましい。無機材料としては、基材フィルムに酸素バリア性、水蒸気バリア性等のガスバリア性を付与するための層を構成することができる無機材料が適宜選択され、例えばアルミニウム等の金属、酸化アルミニウム、酸化ケイ素、酸化マグネシウム、酸化錫等の無機酸化物等が挙げられる。
【００３３】
酸化アルミニウム蒸着膜は、アルミニウムを蒸発材料にして、酸素、炭酸ガスと不活性ガスなどとの混合ガスの存在下で薄膜形成を行う反応性蒸着、反応性スパッタリング、反応性イオンプレーティングにより形成することができる。また酸化ケイ素は、特に耐水性が必要とされる場合に好ましい。また無機酸化物の蒸着膜とすると透明性が得られ、内容物の量などを視認できるためより好ましい。
【００３４】
また上記の各層には必要に応じて、その特性を損なわない範囲で、ポリビニルアルコール、エチレン−ビニルアルコール共重合体、変性ビニルアルコール系重合体等のビニルアルコール系重合体、イソシアネート化合物、その他の成分をさらに含んでもよい。その他の成分としては、例えば、可塑剤、樹脂、分散剤、界面活性剤、柔軟剤、安定剤、アンチブロッキング剤、膜形成剤、粘着剤、酸素吸収剤、粘土鉱物等の添加剤が挙げられる。
【００３５】
より具体的な構成の例としては、以下の様な構成を例示できる。
１）基材フィルム（透明蒸着ＰＥＴ（１２〜２５μｍ）／ＮＹ（１５〜２５μｍ））／シーラント層（ＣＰＰ（５０〜１００μｍ））（数値は厚さを表す。以下同様。）
２）基材フィルム（透明蒸着ＰＥＴ（１２〜２５μｍ）／ＮＹ（１５〜２５μｍ））／シーラント層（イージーピールシーラント（５０〜１００μｍ））
３）基材フィルム（ＰＥＴ（１２〜２５μｍ）／バリアＮＹ（１５〜２５μｍ））／シーラント層（ＣＰＰ（５０〜１００μｍ））
４）基材フィルム（ＰＥＴ（１２〜２５μｍ）／バリアコート材／ＮＹ（１５〜２５μｍ））／シーラント層（ＣＰＰ（５０〜１００μｍ））
５）基材フィルム（ＰＥＴ（１２〜２５μｍ）／ＮＹ（１５〜２５μｍ））／シーラント層（透明蒸着ＣＰＰ（５０〜１００μｍ））
【００３６】
図５は、本発明のガセットパウチの別形態の平面模式図であり、図６はその外観斜視図である。ガセットパウチ２の表面シート１１ｂ、裏面シート１２ｂ、左右の側面シート１３ｄ、１３ｅは、上端および下端の左右の端部が斜めに切り落とされた形状となり、肩シール部２８を形成している。それ以外の口栓１５、口栓封入部１４、天縁シール部２２、チャック１７、吊るし穴１８、下端縁シール部２７、ノッチや易開封線は前述の実施形態と同等に設けられている。但し、吊るし孔１８は下端縁シール部２７が膨出した部分に設けられている。
【００３７】
図６の様に側面シート１３ｄ、１３ｅを展開したとき、肩シール部２８はそれぞれ上部シール部２３から斜めに表面シート１１ｂ、裏面シート１２ｂと左右の側面シート１３ｄ、１３ｅを貼り合せた部位に向かう形状となる。
【００３８】
図７は、本発明のガセットパウチの第三の形態の平面模式図である。本形態のガットパウチ３は、口栓１５と吊るし穴１８が、ガセットパウチ３の左右方向の中心線ＡＡ´に対して互いに反対側に設けられている。この様な態様とすると、図８に示す様に、フック３０に吊るして口栓１５から内容物３２を流出させるとき、ガセットパウチ３が斜めに吊り下げられ、内容物３２が口栓１５側に集まり易くなり、内容物３２を流出させ易くなる。
【００３９】
本発明のガセットパウチに包装される内容物としては、特に限定されず、食品でも非食品でもよい。食品としては、例えば料理用調味ソースなどの通常食品や、流動食、胃瘻用の栄養食などの医療用食品が挙げられる。非食品としては、例えば輸液製剤等の医療品等が挙げられる。
【符号の説明】
【００４０】
１、２、３・・・ガセットパウチ
１１、１１ｂ・・・表面シート
１２、１２ｂ・・・裏面シート
１３ａ、１３ｂ、１３ｄ、１３ｅ・・・左右の側面シート
１３ｃ、１３ｆ・・・Ｖ字の先端部
１４・・・口栓封入部
１５・・・口栓
１６・・・基部
１７・・・チャック
１８・・・吊るし孔
２１・・・側縁シール部
２２・・・天縁シール部
２３・・・上部シール部
２４ａ、２４ｂ・・・ノッチ
２５ａ、２５ｂ・・・易開封線
２６・・・シール部
２７・・・下端縁シール部
２８・・・肩シール部
３０・・・フック
３１・・・チューブ
３２・・・内容物
３３・・・水
【図１】
2020138797.tif 000003
【図２】
2020138797.tif 000004
【図３】
2020138797.tif 000005
【図４】
2020138797.tif 000006
【図５】
2020138797.tif 000007
【図６】
2020138797.tif 000008
【図７】
2020138797.tif 000009
【図８】
2020138797.tif 000010